(57)【要約】【課題】  防虫性能に優れ、かつハウス内環境を快適なものとする農業用被覆材を提供する。【解決手段】  エレクトレット加工されたメッシュ状織物で構成されてなる農業用被覆材。【選択図】なし【特許請求の範囲】
【請求項１】
エレクトレット加工されたメッシュ状織物で構成されてなる農業用被覆材。
【請求項２】
表面電荷密度２．０×１０−６〜４．０×１０−６クーロン／ｍ２となるようにエレクトレット加工されたメッシュ状織物で構成されてなる請求項１記載の農業用被覆材。
【請求項３】
メッシュ状織物の目合いが０．８〜４ｍｍである請求項１または２記載の農業用被覆材。
【発明の詳細な説明】
【技術分野】
【０００１】
本発明は野菜や果物、花などの栽培用のハウスやトンネル、べたがけ等に使用する農業用被覆材に関するものである。
【背景技術】
【０００２】
野菜や果物、花などの作物をハウス内やトンネル内、あるいはべたがけ等で栽培することが行われている。これらハウスやトンネル、あるいはべたがけ等に使用する被覆材としては、従来、塩化ビニール、ポリエチレン等の合成樹脂フィルムや、ポリビニルアルコール、ポリエステル等の繊維で構成される織編物あるいは不織布が用いられている。しかしながら、フィルムを用いた場合は夏場における内部温度の調節が難しく、一方、織編物の場合は通気性に優れるが、織編物の目を通過して害虫が侵入する問題点がある。これらの問題点を解決するために、メッシュ状織物を用いることが提案されている（例えば、特許文献１参照。）。特許文献１に記載のメッシュ状織物は外部からの害虫の侵入を防ぐために目合いを１．０ｍｍ以下にしている。しかしながら、目合いを小さくすればするほど、それに比例して防虫効果は高まるものの、反面、空気の流れが遮断されることにより、内部の雰囲気温度は上昇し、その結果作物の病害が増加したり、作業者の労働環境が悪化する等、内部の環境を悪化させるという問題点があった。
【０００３】
一方、野菜、果物、草花等の栽培において、フィルムや不織布にエレクトレット加工を施すことにより作物に害虫や病原菌の付着を防止することが提案されている（例えば、特許文献２参照。）。確かに特許文献２の方法では作物から害虫や病原菌の付着を防止することはできるが、エレクトレット加工を施すシートがフィルムや不織布であるため、例えばビニールハウス等に用いた場合、特に夏場になるとハウス内の雰囲気温度は上昇し、その結果作物の病害が増えたり、従業者の労働環境が悪化する等、ハウス内環境を悪化させるという問題点があった。
【０００４】
【特許文献１】特開２００２−２７９００号公報
【特許文献２】特開平３−２９７３３４号公報
【発明の開示】
【発明が解決しようとする課題】
【０００５】
上記したように、特にビニールハウスにおいて、高い防虫効果と良好なハウス内環境を兼備した農業用被覆材が求められている。
【課題を解決するための手段】
【０００６】
本発明者等は鋭意検討を重ねた結果、好適にはフラットヤーンで構成されたメッシュ状織物にエレクトレット加工を行うことにより、高い防虫効果を有しながら、ハウス内環境を改善できることを見出した。
【０００７】
すなわち本発明は、エレクトレット加工されたメッシュ状織物で構成されてなる農業用被覆材に関するものであり、好ましくは表面電荷密度２．０×１０−６〜４．０×１０−６クーロン／ｍ２となるようにエレクトレット加工されたメッシュ状織物で構成されてなる上記の農業用被覆材に関するものであり、さらに好ましくはメッシュ状織物の目合いが０．８〜４ｍｍである上記の農業用被覆材に関するものである。
【発明の効果】
【０００８】
本発明の技術により、防虫性能に優れ、かつハウス内環境を快適なものとする農業用被覆材を製造することが可能となる。
【発明を実施するための最良の形態】
【０００９】
本発明の農業用被覆材はエレクトレット加工されたメッシュ状織物を用いることが必要である。メッシュ状織物を用いることにより、通気性が優れ、ハウス内環境を良好なものとし、さらに該メッシュ状織物にエレクトレット加工することにより、防虫性能が優れるものとなる。本発明の農業用被覆材に用いられるメッシュ状織物はフラットヤーンで構成されていることが好ましいが、モノフィラメントやマルチフィラメント、あるいは紡績糸で構成されていても構わない。しかしながら、後述するがエレクトレット加工を行った時に、加工の均一性からみるとフラットヤーンで構成されることがより好ましい。
【００１０】
さらに本発明の農業用被覆材に用いられるメッシュ状織物の目付は透光性や作業性の面からみると２０〜５０ｇ／ｍ２であることが好ましい。目付が２０ｇ／ｍ２よりも小さい場合、透光率が大きくなってハウス内温度が上昇する場合がある。一方、目付が５０ｇ／ｍ２よりも大きいと重量が増え、作業性が悪くなる。より好ましくは２５〜４０ｇ／ｍ２である。
【００１１】
また本発明の農業用被覆材に用いられるメッシュ状織物の目合いは０．８〜４ｍｍであることが好ましい。目合いが０．８ｍｍよりも小さいと通気性が低下する。一方、目合いが４ｍｍよりも大きいと、エレクトレット加工による防虫効果が発現しない。より好ましい目合いは１．２〜３ｍｍである。
【００１２】
さらに本発明の農業用被覆材に用いられるメッシュ状織物へのエレクトレット加工の条件は表面電荷密度が２．０×１０−６〜４．０×１０−６クーロン／ｍ２であることが好ましい。表面電荷密度が２．０×１０−６クーロン／ｍ２よりも低いと防虫効果が発現しない。一方、表面電荷密度が４．０×１０−６クーロン／ｍ２よりも高い場合、防虫効果は十分に発現はするが、エレクトレット加工する際にコストアップとなったり、あるいは表面電荷密度が高過ぎるために取扱性が悪くなることがある。より好ましくは２．５×１０−６〜３．５×１０−６クーロン／ｍ２である。なお、表面電荷密度は後述する方法で測定される。
【００１３】
本発明の農業用被覆材に用いられるメッシュ状織物を構成する繊維素材としては、ポリエチレン、ポリプロピレンなどのポリオレフィン系、ポリエステル系、ポリビニルアルコール系等が挙げられるが、中でも、比較的容易に繊維表面に帯電し、また帯電効果の持続が期待できるポリエチレン、ポリプロピレンなどのポリオレフィン系素材を使用することが望ましい。
また本発明の農業用被覆材に用いられるメッシュ状織物を構成する繊維素材は単独で使用することが好ましい。２種類以上の繊維で交織した場合、一方の繊維がアースの役割をし、エレクトレット加工による防虫効果が減少する恐れがある。
【００１４】
本発明のエレクトレット加工されたメッシュ状織物で構成される農業用被覆材の使用方法に特に制限はないが、ビニールハウス内で支柱を用いて被覆するハウス内トンネル、ハウス内に、地面に対して水平または垂直に展張するハウス内内張カーテン、あるいはビニールハウスの側面に張るハウスサイド張り等に使用することが好ましいが、エレクトレット加工の耐久性の点からはハウス内トンネルに使用することがより好ましい。
【００１５】
本発明のエレクトレット加工されたメッシュ状織物は防虫を必要とする用途以外にも、ウイルスフリー株の養成や、花粉や雑種の交配を防止することを目的とした育種に使用でき、さらに農業用途以外には、建造物用の網戸に使用可能である。
【００１６】
以下に実施例により本発明を説明するが、本実施例により何等限定されるものではない。なお実施例中の表面電荷密度は以下の方法により測定された値である。
【００１７】
［表面電荷密度  クーロン／ｍ２］
春日電機株式会社製静電電荷量測定装置「ＫＱ−４３１型」にて測定。
両面をアルミ箔で電荷がキャンセルされた状態で保存されたサイズ２０×２０ｃｍの測定用サンプルを絶縁性の棒（例えば、竹製の箸）で、約１秒でアルミ箔から剥離する。このとき、サンプルに触れないようにし、身体から３０ｃｍ以上離した状態で、サンプルを上記測定装置内のファラデーゲージ（四方を金属等の導電性物質で囲うことで、内部の電位を見かけ上零ポルトにする設備）へ入れ、クーロン値を測定した。そして単位面積当りのクーロン値を表面電荷密度として算出した。
【００１８】
［実施例１、比較例１］
ビニールハウス内、高さ３０ｃｍの位置に、表１に示すような繊度５００ｄｔｅｘ、幅１ｍｍのポリエチレンフラットヤーンからなる、目合い２ｍｍのメッシュ織物に表面電荷密度３×１０−６クーロン／ｍ２にエレクトレット加工されたメッシュ状織物で被覆した、縦４０ｃｍ×横４０ｃｍ×高さ５０ｃｍのハウスモデル（以下、ハウスモデルＡと表記）とエレクトレット加工がなされていない、ハウスモデルＡと同等形状のメッシュ状織物で被覆したハウスモデル（以下、ハウスモデルＢと表記）を各2基ずつ設置した。このハウスモデル内に色彩粘着トラップ（接着面サイズ；１０×２４ｃｍ）を円筒状（直径約８ｃｍ）にして直径９ｃｍ×高さ３０ｃｍの円筒形プラスチック容器の上に図１に示すように固定し、１日間隔でハウスモデル内の黄色粘着トラップに誘殺されたコナジラミ類の成虫数を調査したところ、表２に示すようにハウスモデルＡでは、ハウスモデルＢと比較して、コナジラミ類の誘殺数が少なく、しかも設置期間が長くなるにつれて、両者間の誘殺数の差は大きくなった。すなわち、ハウスモデルＡとハウスモデルＢの目合いは同等であるにもかかわらず、ハウスモデルＡはエレクトレット加工による帯電効果によりコナジラミ類の侵入防止効果が高いものであった。
【００１９】
【表１】
2006042649.tif 000002
【００２０】
【表２】
2006042649.tif 000003
【産業上の利用可能性】
【００２１】
本発明の技術により、防虫性能に優れ、かつハウス内環境を快適なものとする農業用被覆材を提供することができる。また本発明のメッシュ状織物はウイルスフリー株の養成や、花粉や雑種の交配を防止することを目的とした育種、さらに農業用途以外には、建造物用の網戸に使用可能である。
【図面の簡単な説明】
【００２２】
【図１】本発明の農業用被覆材の防虫試験方法を示す図。
【図１】
2006042649.tif 000004